(57)【要約】【課題】  特別なジョイントを必要とせずに各回路間をジョイントすることができ、コストダウンを図るようにする。【解決手段】  ２枚のフレキシブル配線板１，２の端部が夫々挿入される一対の挿入口３，４が設けられ、内部に各挿入口３，４から挿入されてきたフレキシブル配線板１，２の露出する複数の回路導体１Ａ，２Ａに接触される接続突起８を有する電気接続子７を複数設けたコネクタハウジング５を備えたフレキシブル配線板用コネクタにおいて、単一片から形成された電気接続子７の少なくとも２つをブリッジ部９でつなぎ、このブリッジ部９に絶縁を図って他の単一片から形成された電気接続子７を配置した。【選択図】  図１
2006216489.tif 000002
【特許請求の範囲】
【請求項１】
２枚のフレキシブル配線板の端部が夫々挿入される一対の挿入口が設けられ、内部に各挿入口から挿入されてきたフレキシブル配線板の露出する複数の回路導体に接触される接続突起を有する電気接続子を複数設けたコネクタハウジングを備えたフレキシブル配線板用コネクタにおいて、
単一片から形成された電気接続子の少なくとも２つをブリッジ部でつなぎ、
このブリッジ部に絶縁を図って他の単一片から形成された電気接続子を配置したことを特徴とするフレキシブル配線板用コネクタ。
【請求項２】
前記ブリッジ部上に他の電気接続子を配置する場合、ジョイント部に絶縁プレートを設けたことを特徴とする請求項１に記載のフレキシブル配線板用コネクタ。
【請求項３】
前記電気接続子の接続突起が、プレートの一部分を切りおこして折り曲げたバネ性を有するものであることを特徴とする請求項１又は２に記載のフレキシブル配線板用コネクタ。
【発明の詳細な説明】
【技術分野】
【０００１】
本発明は、自動車やＯＡ機器等の配線に多く用いられるフレキシブルプリント配線板（ＦＰＣ）とかフレキシブルフラットケーブル（ＦＦＣ）などのフレキシブル配線板の回路導体を互いに接続するためのフレキシブル配線板用コネクタに関する。
【背景技術】
【０００２】
この種、フレキシブル配線板、例えばＦＰＣは、ポリイミドやポリエチレンテレフタレート等の絶縁フィルム（ベースフィルム）上に圧延銅箔や電解銅箔等よりなる回路導体で回路パターンを形成し、さらにその上に前述同様の絶縁フィルム（カバーレイ）を貼り合わせた構造とされている。従って、このようなＦＰＣは可撓性を有し、回路導体がフィルム上にパターン化されているので配線が行ないやすく、特に複雑な回路間や装置間の接続によく利用されている。そしてこのＦＰＣを接続するコネクタとしては、ＦＰＣの端部が挿入される一対の挿入口を有するコネクタハウジングと、コネクタハウジング内に保持されると共に、各挿入口から夫々挿入された各ＦＰＣの端部の回路導体に接触される接続突部を夫々有する単一片から形成された電気接続子と、各ＦＰＣの端部を前記接続突部側に押圧する押圧体とを備えてなるものが開発されている（特許文献１参照）。
【０００３】
この特許文献１に記載のコネクタによれば、図４に示すように、コネクタハウジング１００の各挿入口１０１，１０２より、各ＦＰＣ１０３，１０４の端部が挿入され、夫々の回路導体１０３Ａ，１０４Ａが電気接続子１０５の各接続突部１０６に接触され、ここに電気接続子１０５を通じて両ＦＰＣ１０３，１０４の回路導体１０３Ａ，１０４Ａが互いに接続される。また、押圧体１０７によって各ＦＰＣ１０３，１０４が接続突部１０６側に押圧されるため、各回路導体１０３Ａ，１０４Ａと各接続突部１０６とが圧接され、接触部の信頼性が向上する。そして、ＦＰＣ１０３，１０４の回路導体１０３Ａ，１０４Ａを互いに接続する接続子１０５およびコネクタハウジング１００の単一化が図れ、従って製造工程の単一化が図れ、生産性が向上し、製造コスト低減が図れる、というものである。
【特許文献１】実開平５−３１１６７号公報（第２頁、図１）
【発明の開示】
【発明が解決しようとする課題】
【０００４】
従来のコネクタは、ＦＰＣ同士をストレートに接続するだけであり、すなわち２つのＦＰＣの回路導体を対向する１対１の関係で接続し、一方のＦＰＣのひとつの回路導体と他方のＦＰＣのふたつの回路導体とを接続しようとする場合、すなわち各回路にジョイントが必要な場合には、特別なジョイントコネクタが必要となる。また、上述した従来例では、ＦＦＣ同士の接続については開示されていないが、ＦＦＣの場合にはエッチングでジョイント回路がつくれないので、ピアッシング等によるジョイントを設ける必要があった。
【０００５】
そこで、本発明は、ＦＰＣやＦＦＣ等のフレキシブル配線板同士の接続の容易性、確実性ないしは信頼性を向上させることは勿論、特別なジョイントコネクタを必要とせずに回路間をジョイントでき、コストダウンを図ったフレキシブル配線板用コネクタを提供することを目的とする。
【課題を解決するための手段】
【０００６】
上述の目的を達成するため、本発明は、２枚のフレキシブル配線板の端部が夫々挿入される一対の挿入口が設けられ、内部に各挿入口から挿入されてきたフレキシブル配線板の露出する複数の回路導体に接触される接続突起を有する電気接続子を複数設けたコネクタハウジングを備えたフレキシブル配線板用コネクタにおいて、単一片から形成された電気接続子の少なくとも２つをブリッジ部でつなぎ、このブリッジ部に絶縁を図って他の単一片から形成された電気接続子を配置したものである。
【発明の効果】
【０００７】
本発明によれば、２枚のフレキシブル配線板の端部が夫々挿入される一対の挿入口が設けられ、内部に各挿入口から挿入されてきたフレキシブル配線板の露出する複数の回路導体に接触される接続突起を有する電気接続子を複数設けたコネクタハウジングを備えたフレキシブル配線板用コネクタにおいて、単一片から形成された電気接続子の少なくとも２つをブリッジ部でつなぎ、このブリッジ部に絶縁を図って他の単一片から形成された電気接続子を配置したので、回路間のジョイントが容易に可能となり、特別なジョイントコネクタを必要とせず、コストダウンを図ることができる。
【発明を実施するための最良の形態】
【０００８】
以下に、本発明の好適な実施形態を図面を参照にして説明する。
【０００９】
図１は本発明の実施形態におけるフレキシブル配線板用コネクタの分解斜視図であり、２枚のＦＰＣあるいはＦＦＣなどのフレキシブル配線板１，２の端部を挿入するための一対の挿入口３，４を設けたコネクタハウジング５が、アッパー部材５Ａとボトム部材５Ｂとから構成してある。アッパー部材５Ａは、図面上左側面と下面とが開口した升型のものであり、ボトム部材５Ｂは、右側面と上面とが開口した升型のものであり、両者を重ね合わせるように組み立てる。アッパー部材５Ａとボトム部材５Ｂとは、一方の係止爪が他方の係止部に係止して一体化される。このボトム部材５Ｂの内部に仕切壁６を設けてあり、これら仕切壁６の間に単一片から形成された電気接続子７を並べるようになっている。
【００１０】
前記電気接続子７は、切りおこして折り曲げたバネ性を有する接続突起８を有し、基本的には１枚の長方形状のプレートの２ヶ所を切りおこして折り曲げ、２ヶ一対の接続突起８を設け、一方の接続突起８にフレキシブル配線板１の回路導体１Ａが接触し、他方の接続突起８にフレキシブル配線板２の回路導体２Ａが接触する。これらの接続突起８は、アッパー部材５Ａの天井に圧接するようにコネクタハウジング５内に収められる。この実施形態では、フレキシブル配線板２の回路導体２Ａを３つ、一方のフレキシブル配線板１の回路導体１Ａを４つとしたので、１つの電気接続子７は１つの接続突起８しか有さず、コネクタハウジング５の一方の端にセットされる。また、他方の端の２ヶ一対の接続突起８を有する電気接続子７と接続突起８が１つの電気接続子７とは、ブリッジ部９でつながっている。回路をまたいでジョイントする場合には、符号１０で示す絶縁プレートをブリッジ部９上に設け、ブリッジ部９上の電気接続子７とブリッジ部９との絶縁を図る。
【００１１】
図２は、フレキシブル配線板１（２）の断面を示し、ベースフィルム１Ｂ（２Ｂ）とカバーレイ１Ｃ（２Ｃ）との間に回路導体１Ａ（２Ａ）を挟んだ構造であり、接続突起８に接触する回路導体１Ａ（２Ａ）の部分は露出されている。
【００１２】
図３は、プレート上に接続突起８として半球状のものを形成した例を示すものである。
【００１３】
なお、上述した例では、両端の電気接続子７同士をブリッジ部９でつないであり、これらの接続突起８に接触する回路間を電気的に導通させるようにしたが、所望の２以上の電気接続子７をブリッジ部９でつなぐこともできる。このブリッジ部９をボトム部材５Ｂの底に横切るようにセットするため、仕切壁６の一部を切り欠いてある。
【図面の簡単な説明】
【００１４】
【図１】本発明の実施形態を示す分解斜視図。
【図２】フレキシブル配線板の端部側断面図。
【図３】電気接続子の変形例を示す斜視図。
【図４】従来例を示す斜視図。
【符号の説明】
【００１５】
１，２  フレキシブル配線板
１Ａ，２Ａ  回路導体
３，４  挿入口
５    コネクタハウジング
５Ａ  アッパー部材
５Ｂ  ボトム部材
６    仕切壁
７    電気接続子
８    接続突起
９    ブリッジ部
【図１】
2006216489.tif 000003
【図２】
2006216489.tif 000004
【図３】
2006216489.tif 000005
【図４】
2006216489.tif 000006